(57)【要約】【課題】バッテリパック単体毎にバッテリ容量のモニターを行うことができるバッテリパック管理システムを提供する。【解決手段】バッテリ１００には製造番号等の識別情報が書き込まれたメモリ１２０が備えられており、リモコン装置１０は装着されているバッテリ１００の識別情報を電気的に読み取る。このリモコン装置１０を充電器９で充電すると、バッテリ接続部１１８の充放電センサ１１９は、バッテリ１００の充電を検出して、ＣＰＵ１０１に与える。ＣＰＵ１０１は取得した識別情報と充電情報とから、ＲＡＭ１０３に記憶されている該当するバッテリに対する充放電情報を更新する。【選択図】  図２
2007087707.tif 000002
【特許請求の範囲】
【請求項１】
それぞれ個別の識別情報を付された複数のバッテリパックのうち不特定の１または複数がセットされ、該セットされたバッテリパックで駆動される携帯装置であって、
前記セットされたバッテリパックの識別情報を読み取る読取手段と、
前記セットされたバッテリパックの充放電状態を検出する検出手段と、
前記バッテリパックの充放電履歴を該バッテリパックの識別情報に対応づけて記憶する履歴記憶手段と、
を備えたことを特徴とする携帯装置。
【請求項２】
外部から供給される電源により、前記セットされたバッテリパックを充電する充電手段を備えた請求項１に記載の携帯装置。
【請求項３】
複数のバッテリパック、複数の携帯装置、充電装置、および、管理装置を有するバッテリパック管理システムであって、
前記複数のバッテリパックはそれぞれに個別の識別情報を有し、
前記複数の携帯装置は、それぞれ前記複数のバッテリパックのうち不特定の１または複数がセットされ、該セットされたバッテリパックで駆動されるとともに、前記セットされたバッテリパックの識別情報を読み取る読取手段と、前記セットされたバッテリパックの充放電状態を検出する検出手段と、検出手段の検出内容を管理装置に送信する送信手段と、を備え、
前記充電装置は、前記複数のバッテリパックのうち不特定の１または複数がセットされ、前記セットされたバッテリパックの識別情報を読み取る読取手段と、セットされたバッテリパックを充電する充電手段と、前記セットされたバッテリパックの充放電状態を検出する検出手段と、検出手段の検出内容を管理装置に送信する送信手段と、を備え、
前記管理装置は、各携帯装置および充電装置から送信されてきた各バッテリパックの充放電履歴を該バッテリパックの識別情報と対応付けて記憶する履歴記憶手段を、備えたことを特徴とするバッテリパック管理システム。
【発明の詳細な説明】
【技術分野】
【０００１】
本発明は、親機とリモート操作を行う携帯子機との組み合わせが複数存在するネットワークシステムにおける、携帯子機のバッテリパックを管理するシステムに関するものである。
【背景技術】
【０００２】
現在、カラオケ店舗では、カラオケ装置（親機）と、ユーザからの操作を受け付けてカラオケ装置に送信するリモコン装置とで構成されるカラオケシステムが広く普及されている。リモコン装置は、電源として通常Ｌｉ電池等のバッテリパックを装着しており、バッテリパックの残り容量をモニターして、表示部等に表示している。このようなバッテリパックに対して、従来、各種の容量検出方法が存在する（例えば、特許文献１参照。）。そして、リモコン装置は、検出したバッテリパックの容量に基づき、バッテリ切れ等の表示を行う。
【特許文献１】特開平７−１３０４０２号公報
【発明の開示】
【発明が解決しようとする課題】
【０００３】
しかしながら、従来のバッテリパックの管理システムでは、リモコン装置とバッテリパックとが常に一対一の関係にあり、バッテリ容量の管理といえば、リモコン装置とバッテリパックとのペアに対するものである。
【０００４】
ところで、現在のカラオケシステムでは、リモコン装置に対して非常に多種の機能を搭載しており、充電器で充電することなく使用し続ける等、使用状況に応じてはバッテリ切れを起こすことがある。この場合、バッテリパックを他の充電済みのバッテリパックに交換しなければならず、この交換により、リモコン装置はこれまでとは別のバッテリパックに対して残り容量をモニターすることとなる。
【０００５】
このため、従来のバッテリパック管理システムでは、１つのバッテリパック容量を継続してモニターし続けることができない場合がある。
【０００６】
したがって、本発明の目的は、バッテリパック単体毎にバッテリ容量のモニターを行うことができるバッテリパック管理システムを提供することにある。
【課題を解決するための手段】
【０００７】
この発明は、それぞれ個別の識別情報を付された複数のバッテリパックのうち不特定の１または複数がセットされ、該セットされたバッテリパックで駆動される携帯装置であって、セットされたバッテリパックの識別情報を読み取る読取手段と、セットされたバッテリパックの充放電状態を検出する検出手段と、バッテリパックの充放電履歴を該バッテリパックの識別情報に対応づけて記憶する履歴記憶手段と、を備えたことを特徴としている。
【０００８】
この構成では、それぞれのバッテリパックに対して個別の識別情報が与えられており、携帯装置は、装着されているバッテリパックから識別情報を読み取るとともに、該バッテリパックの充電、放電を逐次モニターして、これらを関連付けして履歴を記憶する。そして、携帯装置は、この履歴からバッテリパック毎の充電回数や充放電状態を読み出して、バッテリパックの使用に関する各種の判断を行う。
【０００９】
また、この発明の携帯装置は、外部から供給される電源により、セットされたバッテリパックを充電する充電手段を備えたことを特徴としている。
【００１０】
この構成では、携帯装置は、自身にセットされた状態のバッテリパックを充電手段で充電しながら充放電情報を検出して、充放電履歴を記憶する。
【００１１】
また、この発明は、複数のバッテリパック、複数の携帯装置、充電装置、および、管理装置を有するバッテリパック管理システムであって、
複数のバッテリパックはそれぞれに個別の識別情報を有し、
複数の携帯装置は、それぞれ複数のバッテリパックのうち不特定の１または複数がセットされ、該セットされたバッテリパックで駆動されるとともに、セットされたバッテリパックの識別情報を読み取る読取手段と、セットされたバッテリパックの充放電状態を検出する検出手段と、検出手段の検出内容を管理装置に送信する送信手段と、を備え、
充電装置は、複数のバッテリパックのうち不特定の１または複数がセットされ、セットされたバッテリパックの識別情報を読み取る読取手段と、セットされたバッテリパックを充電する充電手段と、セットされたバッテリパックの充放電状態を検出する検出手段と、検出手段の検出内容を管理装置に送信する送信手段と、を備え、
管理装置は、各携帯装置および充電装置から送信されてきた各バッテリパックの充放電履歴を該バッテリパックの識別情報と対応付けて記憶する履歴記憶手段を、備えたことを特徴としている。
【００１２】
この構成では、それぞれのバッテリパックに対して個別の識別情報が与えられており、携帯装置は、装着されているバッテリパックから識別情報を読み取るとともに、該バッテリパックの充電、放電を逐次モニターして、管理装置に送信する。また、充電装置は、充電が行われるバッテリパックから識別情報を読み取るとともに、該バッテリパックの充電を逐次モニターして、管理装置に送信する。管理装置は、携帯装置および充電装置から送信された、バッテリパックの識別情報に関連づけされた充放電情報を受信し、バッテリパック毎の充放電履歴を記憶する。そして、管理装置は、これら履歴からバッテリパック毎の充電回数や充放電状態を読み出して、バッテリパックの使用に関する各種の判断を行う。
【発明の効果】
【００１３】
この発明によれば、複数のバッテリパック毎に充放電履歴が携帯装置に一括して残るので、携帯装置に複数のバッテリパックを装着する場合であっても、バッテリパックの容量管理を確実に行うことができる。
【００１４】
また、この発明によれば、複数のバッテリパック毎の充放電履歴が複数の携帯装置および充電装置と通信可能な管理装置に一括して残るので、複数の携帯装置と複数のバッテリパックとの組み合わせによることなく、バッテリパックの容量管理を確実に行うことができる。
【発明を実施するための最良の形態】
【００１５】
本発明の実施形態に係るバッテリパック管理システムについて図を参照して説明する。
図１は、本実施形態のバッテリパック管理システムが適用されるカラオケシステムの構成を説明する図である。また、図２は図１に示すリモコン装置１０の主要構成を示すブロック図である。このシステムでは、バッテリパックにＩＤが付されており、このＩＤに基づいて各バッテリパックを個別に管理している。
【００１６】
図１のカラオケシステムでは、各カラオケ店舗３に配置されたルータ４はインターネット２を介してセンタ１に接続するともに、ＬＡＮ５を介してカラオケ店舗３内の各部屋の各カラオケ装置８やリモコン装置１０に接続している。センタ１は、楽曲データや顧客データ等を蓄積記憶している。各カラオケ装置８およびリモコン装置１０は、センタ１にＬＡＮ５、ルータ４を介してアクセスし、楽曲データ等のダウンロードや、顧客データの送受信等のカラオケを行うための情報の通信を行う。
【００１７】
カラオケ店舗３では、ルータ４、管理装置６、複数のカラオケ装置（親機）８、複数の無線アクセスポイント１１が、ＬＡＮ５によりネットワーク接続しており、複数の無線アクセスポイント１１を介してリモコン装置１０が無線にてネットワーク接続している。
【００１８】
ルータ４、管理装置６は、カラオケ店舗３の管理室内に設置されている。管理装置６は、カラオケ店舗３の係員が操作する端末装置であり、各カラオケ装置８の利用時間の管理や、リモコン装置１０等を利用した飲食物やチケット等の注文を受け付ける。また、管理室には、バッテリ直接充電器７が設置されており、管理装置６に接続されている。バッテリ直接充電器７は、バッテリ１００を充電しながら充電状態をモニターする。また、バッテリ１００のメモリ１２０に製造番号等のバッテリ１００に固有な識別情報（ＩＤ）を読み出す。バッテリ直接充電器７は、充電情報と識別情報と関連付けした状態で管理装置６に与える。
【００１９】
複数のカラオケ装置８は、それぞれ個室（カラオケボックス）３０に１台ずつ設置されており、リモコン装置１０は、それぞれの個室３０に対して少なくとも１台ずつ設置されている。
【００２０】
それぞれにカラオケ装置８が配置された個室３０にはリモコン装置を載置するクレードルを兼ねたリモコン充電器９が設置されており、該リモコン充電器９にリモコン装置１０をセットすることにより、リモコン装置１０からバッテリ１００を外すことなく、バッテリ１００を充電することができる。このリモコン充電器９はカラオケ装置８に接続しないものであっても、接続するものであってもよい。接続するものであれば、リモコン充電器９を介してリモコン装置１０とカラオケ装置８とで通信を行うことも可能である。
【００２１】
リモコン装置１０は、図２に示す構成を備え、ユーザがカラオケ曲をリクエストするためのリクエスト機能、ユーザのＩＤカードを読み取ってそのユーザをシステム内のサーバに対してログインさせるログイン機能等の各種機能を備える。また、リモコン装置１０は、自身に装着されているまたは以前に装着されていたバッテリ１００の充放電履歴を記憶する。
【００２２】
また、リモコン装置１０は、同じ個室３０内に設置されているカラオケ装置８とペアリングされている。なお、ペアリングとは、ＬＡＮ５等によりネットワーク接続される複数のカラオケ装置８と複数のリモコン装置１０とが、互いのアドレスを記憶、登録しあうものである。このペアリングにより、各リモコン装置１０は、対応付けられたカラオケ装置８と通信を行う。
【００２３】
リモコン装置１０は、装置全体を制御するＣＰＵ１０１、該ＣＰＵ１０１にバスライン接続されるＲＯＭ１０２、ＲＡＭ１０３、音源１０４、無線ＬＡＮＩ／Ｆ１０７、非接触カードＩ／Ｆ１０９、周辺機器コントローラ１１０、バッテリ接続部１１８の充放電センサ１１９が接続されている。そして、これらリモコン装置１０の各部はバッテリ接続部１１８に装着されたバッテリ１００により電源供給されている。
【００２４】
ＲＯＭ１０２には、このリモコン装置１０の動作を制御する各種プログラムが記憶されている。ＲＯＭ１０２はフラッシュメモリで構成されており、ＵＳＢＩ／Ｆ１１７等を介して接続される外部装置によってプログラムの書き換えが行われる。
【００２５】
ＲＡＭ１０３には、顧客ＩＤを含む顧客情報等の各種データが記憶されている。また、歌詞表示モードを備える場合であれば、カラオケ装置８からＬＡＮ５を介して送信されるカラオケ曲の歌詞データを記憶する。また、ＲＡＭ１０３には、図３に示すような、充放電センサ１１９で経時的に検出されたバッテリ１００単位での充放電情報２００が記憶されている。
図３はバッテリ１００の外観図である。
バッテリ１００は、リモコン装置１０外形に応じて、所定形状、例えば、約直方体形状で部分的に円弧面を有する形状の筐体を有する。バッテリ１００の筐体は内部に充電池を備えるとともに製造番号等のＩＤが記憶されたＲＯＭ（メモリ）１２０が設置されている。また、バッテリ１００の筐体の一面には、電源用接点１３０とＲＯＭ１２０の外部端子１２１とが配置されている。そして、電源用接点１３０を介してリモコン装置１０に電源を供給し、ｒｏｍ１２０の外部端子１２１を介してＩＤが読み取られる。
【００２６】
図４はＲＡＭ１０３に記憶される充放電情報２００の概念図である。
バッテリ１００単位の充放電情報２００は、複数のバッテリ１００毎にユニークな番号であり、バッテリ毎の識別番号に相当する製造番号２０１と、充電回数、各充電時の充電容量や満充電電圧や充電時間、トータルでの充電容量や充電時間からなる充放電履歴に相当する詳細情報２０２とからなる。この充放電情報２００は該当するバッテリ１００がリモコン装置１０から外されても消去されることなく記憶される。また、充放電情報２００は、バッテリ単位で記憶されているので、新たなバッテリが装着される毎に、この新たなバッテリに対する充放電情報２００が追加される。ＣＰＵ１０１はこのように蓄積記憶される充放電情報２００に基づいて各バッテリの管理を行う。そして、ＣＰＵ１０１は、この充放電情報２００に基づき、例えば、後述するようなバッテリ毎の寿命検出や故障検出を行う。
【００２７】
音源１０４は、カラオケ装置８に内蔵されているものよりは簡略なものであるが、カラオケ楽曲データに基づいて楽音を発生させることができるものである。この音源１０４は視聴モード等に利用される。音源１０４はアンプ１０５に接続しており、アンプ１０５は、音源１０４が生成した楽音を増幅してステレオスピーカ１０６に出力する。
【００２８】
無線ＬＡＮＩ／Ｆ１０７は、アンテナ１０８を内蔵し、無線アクセスポイント１１を介してこのリモコン装置１０をネットワーク（ＬＡＮ）に接続するためのインターフェースである。
【００２９】
非接触カードＩ／Ｆ１０９は、リモコン装置１０の所定部にセットされたＩＤカードと通信するためのインターフェースである。この非接触カードＩ／Ｆ１０９は、電磁波でＩＤカードに電源を供給する機能および無線でＩＤカードと通信する機能を備えている。非接触カードＩ／Ｆ１０９でＩＤカードから読み取られた顧客情報はＲＡＭ１０３に記憶される。
【００３０】
周辺機器コントローラ１１０には、ＬＣＤディスプレイ１１１、タッチパネル１１２、カメラ１１３、ストロボフラッシュ１１４のほか、赤外線リモコン信号をカラオケ装置に対して送信する赤外線リモコン送信部１１５、他の装置と赤外線通信を行うためのＩｒＤＡ１１６、ＵＳＢインターフェース１１７等が接続されている。
【００３１】
赤外線リモコン送信部１１５は、対応するカラオケ装置とのペアリング処理時に用いられる。ＵＳＢインターフェース１１７は、このリモコン装置１０にパーソナルコンピュータ等のメンテナンス装置を接続し、ＲＯＭ１０２を書き換える時に使用される。
【００３２】
バッテリ接続部１１８は、Ｌｉ電池等からなるバッテリ１００を装着するための部分であり、バッテリ１００に備えられたメモリ１２０から、製造番号等のバッテリ単体の識別情報を読み出すとともに、バッテリ１００の充放電状態を検出する充放電センサ１１９を備える。充放電センサ１１９は、取得した充電情報や放電情報を識別番号とともに、ＣＰＵ１０１に出力し、ＣＰＵ１０１は、これらの情報をＲＡＭ１０３に記憶したり、次に示すバッテリパック管理に利用する。
【００３３】
次に、バッテリ単位の充放電履歴に基づく寿命検出および故障検出について図５、図６、図７を参照して説明する。
【００３４】
図５はバッテリの寿命検出のフローチャートであり、図６、図７はバッテリの故障検出のフローチャートである。
【００３５】
（１）バッテリの寿命検出（図４参照）
リモコン装置１０が充電器９に設置されて充電が行われると、充放電センサ１１９は、充電を検出する（Ｓ１１）。検出された充電情報は、装着されているバッテリ１００の製造番号とともにＣＰＵ１０１に与えられる。ＣＰＵ１０１は、この製造番号と充電情報とを受けるとともに、ＲＡＭ１０３に予め記憶されている充放電情報２００を読み出す（Ｓ１２）。ＣＰＵ１０１は、読み出した充放電情報２００から、充放電センサ１１９より得られた製造番号に該当する充放電情報を抽出し、充電回数を検出する。ＣＰＵ１０１は、充電回数を１インクリメントし、インクリメント後の充電回数が、ＲＡＭ１０３もしくはＲＯＭ１０２に予め記憶されている寿命充電回数閾値Ｎｔｈ以上であるかどうかを確認する（Ｓ１３）。ＣＰＵ１０１はこのインクリメント後の充電回数が閾値Ｎｔｈ以上であることを検出すると、ＬＣＤディスプレイ１１１に寿命警告表示を行う（Ｓ１４）。ＣＰＵ１０１は寿命警告表示を行うと、充放電情報を更新してＲＡＭ１０３に書き込む（Ｓ１５）。また、ＣＰＵ１０１は、インクリメント後の充電回数が閾値より小さいことを検出すると、充放電情報を更新してＲＡＭ１０３に書き込む（Ｓ１５）。
【００３６】
このような処理を充電が行われる毎に繰り返すことにより、バッテリの寿命検出を行うことができる。この際、充放電情報がバッテリ単体毎に記憶されることで、１つのリモコン装置に対して、複数のバッテリを交換しながら装着して使用する場合でも、バッテリ単位の寿命検出を確実に行うことができる。
【００３７】
（２）満充電電圧に基づくバッテリの故障検出（図６参照）
前述の説明では、寿命検出のみを行う場合について示したが、寿命検出とともに故障検出を行うこともできる。
【００３８】
ＣＰＵ１０１は、前述のような寿命検出を行った後（Ｓ２１）、充放電センサ１１９から装着されているバッテリ１００の満充電電圧を取得する（Ｓ３２）。また、ＣＰＵ１０１は、前述の寿命検出の際に得られた充電回数から、予めＲＡＭ１０３等に記憶された充電回数と基準満充電電圧Ｖｔｈとの関係から、該当する基準満充電電圧Ｖｔｈを読み出す（Ｓ２３）。これは、満充電電圧が充電回数の増加に応じて徐々に小さくなることを利用し、この充電回数の増加と満充電電圧の減少との関係が予めＲＡＭ１０３等に記憶されており、ＣＰＵ１０１は取得した充電回数から基準満充電電圧を読み出すことで得られる。
【００３９】
次に、ＣＰＵ１０１は、Ｓ２３の工程で得られた実際の満充電電圧と基準満充電電圧Ｖｔｈとを比較し（Ｓ２４）、実際の満充電電圧が基準満充電電圧Ｖｔｈより低ければ（Ｓ２５）、故障警告表示を行って（Ｓ２６）、充放電情報２００の更新を行う（Ｓ２７）。一方、実際の満充電電圧が基準満充電電圧Ｖｔｈより低くなければ（Ｓ２５）、そのまま充放電情報２００の更新を行う（Ｓ２７）。
【００４０】
このような処理を充電が行われる毎に繰り返すことにより、バッテリの故障検出を行うことができる。この際、充放電情報がバッテリ単体毎に記憶されることで、１つのリモコン装置に対して、複数のバッテリを交換しながら装着して使用する場合でも、バッテリの故障検出を確実に行うことができる。
【００４１】
なお、この方法では、基準満充電電圧に対して実際に観測した満充電電圧が低ければ、故障と判定したが、所定の許容差を設けて故障の判定を行ってもよい。すなわち、観測された満充電電圧が基準満充電電圧に対して所定電位差範囲内で低い程度であれば、故障判定を行わないようにすることもできる。この場合、予め所定の許容差をＲＡＭ１０３等に記憶して利用すればよい。
【００４２】
（３）充電時間に基づくバッテリの故障検出（図７参照）
ＣＰＵ１０１は、前述のような寿命検出を行った後（Ｓ３１）、充放電センサ１１９から装着されているバッテリ１００の残容量検出情報を取得する（Ｓ３２）。また、ＣＰＵ１０１は、現在充電していたバッテリ１００の充電時間を充放電センサ１１９から取得する（Ｓ３３）。ＣＰＵ１０１は、前述の寿命検出の際に得られた充電回数から、該当充電回数に対応する満充電容量を検出する。
【００４３】
ＣＰＵ１０１は得られた満充電容量と残容量とから補充電容量を算出する。そして、ＣＰＵ１０１はこの補充電容量に基づき、予めＲＡＭ１０３等に記憶された補充電容量と基準充電時間Ｔｓとの関係から、満充電状態になるまでの基準充電時間Ｔｓを読み出す（Ｓ３４）。
【００４４】
次に、ＣＰＵ１０１は、Ｓ３３の工程で得られた実際の充電時間と基準充電時間Ｔｓとを比較し（Ｓ３５）、実際の充電時間が基準充電時間Ｔｓ以上であれば（Ｓ３６）、故障警告表示を行って（Ｓ３７）、充放電情報の更新を行う（Ｓ３８）。一方、実際の充電時間が基準充電時間Ｔｓに達しなければ（Ｓ３６）、そのまま充放電情報２００の更新を行う（Ｓ３８）。
【００４５】
このような処理を充電が行われる毎に繰り返すことにより、バッテリの故障検出を行うことができる。この際、充放電情報がバッテリ単体毎に記憶されることで、１つのリモコン装置に対して、複数のバッテリを交換しながら装着して使用する場合でも、バッテリの故障検出を確実に行うことができる。
【００４６】
なお、この方法では、基準充電時間に対して実際に観測した充電時間が長ければ、故障と判定したが、所定の許容差を設けて故障の判定を行ってもよい。すなわち、観測された充電時間が基準充電時間に対して所定時間範囲内で長い程度であれば、故障判定を行わないようにすることもできる。この場合、予め所定の許容差をＲＡＭ１０３等に記憶して利用すればよい。
【００４７】
以上のように、本実施形態の構成を用いることにより、バッテリ毎に寿命や故障の検出、すなわちバッテリ管理を正確に行うことができる。
【００４８】
なお、前述の説明では、リモコン装置１０で、自身に装着されるバッテリ毎の管理を行う例を示したが、管理装置６にてカラオケ店舗３内のバッテリをバッテリ毎に管理することもできる。
【００４９】
この場合、管理装置６は、バッテリ単位での充放電情報を記憶するメモリを備える。また、管理装置６は、バッテリを直接充電する、すなわちリモコン装置１０から外されたバッテリを充電するバッテリ直接充電器７に接続して、該バッテリ直接充電器７から、バッテリ毎の充電情報を取得する。そして、管理装置６は、各リモコン装置１０からの充放電情報とバッテリ直接充電器７から取得した充電情報とから、バッテリ単位での充放電情報を形成して、前述のような各種の管理を行う。
【００５０】
このような構成とすることで、カラオケ店舗３内の全てのバッテリの充放電情報を一括で管理することができる。特に、カラオケ店舗で利用されるリモコン装置のバッテリは頻繁に交換されることがあり、交換されたバッテリは管理装置の直接充電器７で充電されることが多い。このような場合でも、カラオケ店舗３内の全てのバッテリを確実に管理することができる。
【００５１】
なお、前述の説明では、バッテリ１００の充電時に充放電センサ１１９でバッテリ１００の充電を検出して、充放電情報の更新を行う例を示したが、充放電センサ１１９が継続的または所定間隔でバッテリ１００の残容量を検知することで、放電情報を取得して、充放電情報の更新に利用してもよい。このような構成を用いることで、放電速度を用いてバッテリの故障等を検出することができる。例えば、放電速度の基準値を予め記憶しておき、現状検出した放電速度が基準放電速度よりも速ければ、バッテリ１００が故障したものと検出する。
【図面の簡単な説明】
【００５２】
【図１】本発明のバッテリパック管理システムを用いたカラオケシステムの機器配置を説明する図
【図２】図２は図１に示すリモコン装置１０の主要構成を示すブロック図
【図３】バッテリ１００の外観図
【図４】ＲＡＭ１０３に記憶される充放電情報２００の概念図
【図５】バッテリの寿命検出のフローチャート
【図６】満充電電圧を用いたバッテリの故障検出のフローチャート
【図７】充電時間を用いたバッテリの故障検出のフローチャート
【符号の説明】
【００５３】
１−センタ、２−インターネット、３−カラオケ店舗、４−ルータ、５−ＬＡＮ、６−管理装置、７−バッテリ直接充電器、８−カラオケ装置、９−リモコン充電器、１０−リモコン装置、１１−無線アクセスポイント、１００−バッテリパック、１２０−ＩＤ用ＲＯＭ（メモリ）、１２１−外部端子、１３０−電源用端子、１０１−ＣＰＵ、１０２−ＲＯＭ（フラッシュメモリ）、１０３−ＲＡＭ、１０４−音源、１０５−アンプ、１０６−ステレオスピーカ、１０７−無線ＬＡＮＩ／Ｆ、１０８−アンテナ、１０９−非接触カードＩ／Ｆ、１１０−周辺機器コントローラ、１１１−ＬＣＤディスプレイ、１１２−タッチパネル、１１３−カメラ、１１４−フラッシュメモリ、１１５−赤外線リモコン送信部、１１６−ＩｒＤＡ、１１７−ＵＳＢＩ／Ｆ
【図１】
2007087707.tif 000003
【図２】
2007087707.tif 000004
【図３】
2007087707.tif 000005
【図４】
2007087707.tif 000006
【図５】
2007087707.tif 000007
【図６】
2007087707.tif 000008
【図７】
2007087707.tif 000009